(57)【要約】【課題】施工時に構成部材を容易にかつ正確な位置に取り付けることのできる埋込式シャワーの取付方法を提供する。【解決手段】取付金具６に差込み可能な突起部９ａを中心に有する位置決め治具９をベース部材１１にねじ固定する工程と、取付金具６が露出した状態で壁面に形成された壁面開口部８に対し、ベース部材１１を、突起部９ａが取付金具６に差込まれるように押し当て、ベース部材１１のベース部材固定用穴１１ａを利用してタイル壁面７にベース固定用穴の位置をマーク付けする工程と、ベース固定用穴の位置に下穴１２を形成する工程と、下穴１２とベース部材固定用穴１１ａとを合わせベース部材１１をタイル壁面７に固定した後、ベース部材１１から位置決め治具９を取り外す工程と、ベース部材１１に化粧パネルを固定する工程と、を備えた埋込式シャワーの取付方法である。【選択図】図４
2010178924.tif 000002
【特許請求の範囲】
【請求項１】
壁体に埋設された配管に固定される可動式の散水板と、ベース部材を介して壁面に取り付けられる化粧パネルと、を有し、前記配管が前記散水板の中心に位置し、且つ、前記化粧パネルに形成された開口部に前記散水板が位置し、前記化粧パネルの開口部と、前記ベース部材に形成されたベース部材開口部の中心と、が一致している埋め込み式シャワー装置の取付方法であって、
前記配管に固定される取付金具に差込み可能な突起部を中心に有する円形の位置決め治具を前記ベース部材にねじ固定する工程と、
前記取付金具が露出した状態で前記壁面に形成された壁面開口部に対し、前記位置決め治具がねじ固定された前記ベース部材を、前記突起部が前記取付金具に差込まれるように押し当て、前記ベース部材に形成されたベース部材固定用穴を利用して前記壁面にベース固定用穴の位置をマーク付けする工程と、
前記壁面にマーク付けされた前記ベース固定用穴の位置に下穴を形成する工程と、
前記下穴と前記ベース部材固定用穴を合わせて、前記位置決め治具がねじ固定された前記ベース部材を前記壁面にねじ固定した後、前記ベース部材から前記位置決め治具を取り外す工程と、
前記ベース部材に予め開設された穴を利用して前記化粧パネルを前記ベース部材に固定する工程と、を備えたことを特徴とする埋め込み式のシャワー装置の取付方法。
【請求項２】
壁体に埋設された配管に固定される可動式の散水板と、ベース部材を介して壁面に取り付けられる化粧パネルと、を有し、前記配管が前記散水板の中心に位置し、且つ、前記化粧パネルに形成された開口部に前記散水板が位置し、前記化粧パネルの開口部と、前記ベース部材に形成されたベース部材開口部の中心と、が一致している埋め込み式シャワー装置の取付方法であって、
前記配管に固定される取付金具に差込み可能な差込み部を中心部に有する浸水防止用のケースを、前記ベース部材開口部の中心の位置に前記差込み部が位置するような状態で前記ベース部材にねじ固定する工程と、
前記取付金具が露出した状態で前記壁面に形成された壁面開口部に対し、前記ケースがねじ固定された前記ベース部材を、前記差込み部が前記取付金具に差込まれるように押し当て、前記ベース部材に形成されたベース部材固定用穴を利用して前記壁面にベース固定用穴の位置をマーク付けする工程と、
前記壁面にマーク付けされた前記ベース固定用穴の位置に下穴を形成する工程と、
前記下穴と前記ベース部材固定用穴を合わせて、前記ケースがねじ固定された前記ベース部材を前記壁面にねじ固定する工程と、
前記ベース部材に予め開設された穴を利用して前記化粧パネルを前記ベース部材に固定する工程と、を備えたことを特徴とする埋め込み式シャワー装置の取付方法。
【発明の詳細な説明】
【技術分野】
【０００１】
本発明は、浴室やシャワー室などの壁面に埋め込まれた散水部材から使用者に向かって吐水する機能を備えた埋込式シャワーに関する。
【背景技術】
【０００２】
従来の埋込式シャワー装置は、コンパクトかつ軽量であることが多く、埋込本体を現場給水配管に固定し、化粧パネルを壁面で突っ張ることによって、シャワー装置が固定支持されている。
【０００３】
一方、壁面から使用者の身体に向けて吐水する際の吐水角度を変更できるようにするため、ボール継手を用いて構成されたシャワー装置が開示されている（例えば、特許文献１参照。）。
【先行技術文献】
【特許文献】
【０００４】
【特許文献１】特開２００６−１０１９１４号公報
【発明の概要】
【発明が解決しようとする課題】
【０００５】
特許文献１記載のシャワー装置は、ボール継手を使用することにより、吐水角度を変更できるように構成されているが、散水板を壁に埋め込むタイプではない。また、特許文献１には、化粧パネルの位置調整に関する技術内容については開示されていない。
【０００６】
大型の埋込式ボディシャワーは大重量であり、装置全体を配管で支えることができないため、埋込本体部分は従来通り配管で固定支持するが、化粧パネルについては、配管ではなく壁面に確実に固定する必要がある。この場合、それぞれの施工時の固定位置のばらつきにより、可動式の散水板と、散水板を収める化粧パネルの開口部分とが干渉して散水板が傾動し難くなることがある。
【０００７】
そこで、散水板が収められる化粧パネルの開口部の寸法を大きくすれば、施工時の固定位置のばらつきが吸収され、散水板は傾動可能に取り付けることはできるが、化粧パネルの開口部内周と、散水板外周との隙間が大きくなり、隙間も全周不均一となるため、外観性が悪化する。また、この隙間が大きい場合、散水板の角度調整の際に指を挟み込むことがある。
【０００８】
本発明が解決しようとする課題は、施工時に構成部材を容易にかつ正確な位置に取り付けることのできる埋込式シャワーの取付方法を提供することにある。
【課題を解決するための手段】
【０００９】
本発明の埋め込み式シャワー装置の取付方法は、壁体に埋設された配管に固定される可動式の散水板と、ベース部材を介して壁面に取り付けられる化粧パネルと、を有し、前記配管が前記散水板の中心に位置し、且つ、前記化粧パネルに形成された開口部に前記散水板が位置し、前記化粧パネルの開口部と、前記ベース部材に形成されたベース部材開口部の中心と、が一致している埋め込み式シャワー装置の取付方法であって、
前記配管に固定される取付金具に差込み可能な突起部を中心に有する円形の位置決め治具を前記ベース部材にねじ固定する工程と、
前記取付金具が露出した状態で前記壁面に形成された壁面開口部に対し、前記位置決め治具がねじ固定された前記ベース部材を、前記突起部が前記取付金具に差込まれるように押し当て、前記ベース部材に形成されたベース部材固定用穴を利用して前記壁面にベース固定用穴の位置をマーク付けする工程と、
前記壁面にマーク付けされた前記ベース固定用穴の位置に下穴を形成する工程と、
前記下穴と前記ベース部材固定用穴を合わせて、前記位置決め治具がねじ固定された前記ベース部材を前記壁面にねじ固定した後、前記ベース部材から前記位置決め治具を取り外す工程と、
前記ベース部材に予め開設された穴を利用して前記化粧パネルを前記ベース部材に固定する工程と、を備えたことを特徴とする。
【００１０】
このような構成とすれば、位置決め治具を使用することにより、散水板とベース部材のベース部材開口部及び化粧パネルに形成された開口部を同軸心上に配置することができるので、施工時に構成部材を容易にかつ正確な位置に取り付けることができる。従って、散水板が化粧パネルと干渉することなく機能でき、かつ施工時の微妙な調整が難しい散水板と化粧パネルの隙間が全周に渡って均一となるように仕上げることができる。
【００１１】
また、本発明の埋め込み式シャワー装置の取付方法は、壁体に埋設された配管に固定される可動式の散水板と、ベース部材を介して壁面に取り付けられる化粧パネルと、を有し、前記配管が前記散水板の中心に位置し、且つ、前記化粧パネルに形成された開口部に前記散水板が位置し、前記化粧パネルの開口部と、前記ベース部材に形成されたベース部材開口部の中心と、が一致している埋め込み式シャワー装置の取付方法であって、
前記配管に固定される取付金具に差込み可能な差込み部を中心部に有する浸水防止用のケースを、前記ベース部材開口部の中心の位置に前記差込み部が位置するような状態で前記ベース部材にねじ固定する工程と、
前記取付金具が露出した状態で前記壁面に形成された壁面開口部に対し、前記ケースがねじ固定された前記ベース部材を、前記差込み部が前記取付金具に差込まれるように押し当て、前記ベース部材に形成されたベース部材固定用穴を利用して前記壁面にベース固定用穴の位置をマーク付けする工程と、
前記壁面にマーク付けされた前記ベース固定用穴の位置に下穴を形成する工程と、
前記下穴と前記ベース部材固定用穴を合わせて、前記ケースがねじ固定された前記ベース部材を前記壁面にねじ固定する工程と、
前記ベース部材に予め開設された穴を利用して前記化粧パネルを前記ベース部材に固定する工程と、を備えたことを特徴とする。
【００１２】
このような構成とすれば、治具機能を兼用するケースを使用することにより、位置決め治具無しで、散水板とベース部材のベース部材開口部及び化粧パネルに形成された開口部を同軸心上に配置することができるので、施工時に構成部材を容易にかつ正確な位置に取り付けることができる。従って、散水板が化粧パネルと干渉することなく機能することができ、かつ施工時における微妙な調整が難しい散水板と化粧パネルとの隙間が全周に渡って均一となるように仕上げることができる。
【発明の効果】
【００１３】
本発明により、施工時に構成部材を容易にかつ正確な位置に取り付けることのできる埋込式シャワーの取付方法を提供することができる。
【図面の簡単な説明】
【００１４】
【図１】本発明の実施形態である埋込式シャワーの取付方法を施工する前の準備工程を示す一部切欠斜視図である。
【図２】本発明の実施形態である埋込式シャワーの取付方法を施工する前の準備工程を示す一部切欠斜視図である。
【図３】本発明の実施形態である埋込式シャワーの取付方法の施工手順を示す一部切欠斜視図である。
【図４】本発明の実施形態である埋込式シャワーの取付方法の施工手順を示す一部切欠斜視図である。
【図５】本発明の実施形態である埋込式シャワーの取付方法の施工手順を示す一部切欠斜視図である。
【図６】本発明の実施形態である埋込式シャワーの取付方法の施工手順を示す一部切欠斜視図である。
【図７】本発明の実施形態である埋込式シャワーの取付方法を施工した後の仕上げ工程を示す一部切欠斜視図である。
【図８】本発明の実施形態である埋込式シャワーの取付方法を施工した後の仕上げ工程を示す一部切欠斜視図である。
【図９】本発明の実施形態である埋込式シャワーの取付方法を施工した後の仕上げ工程を示す一部切欠斜視図である。
【図１０】取付完了後の埋込式シャワーを示す斜視図である。
【図１１】本発明のその他の実施形態である埋込式シャワーの取付方法の施工手順を示す一部切欠斜視図である。
【発明を実施するための形態】
【００１５】
以下、図面に基づいて、本発明の実施形態について説明する。図１，図２は本発明の実施形態である埋込式シャワーの取付方法を施工する前の準備工程を示す一部切欠斜視図、図３〜図６は本発明の実施形態である埋込式シャワーの取付方法の施工手順を示す一部切欠斜視図、図７〜図９は本発明の実施形態である埋込式シャワーの取付方法を施工した後の仕上げ工程を示す一部切欠斜視図、図１０は取付完了後の埋込式シャワーを示す斜視図である。
【００１６】
図１に示すように、入水口３ａと２つの給水口３ｂとを有する給水配管３を複数の配管固定部材２を用いて建築躯体１に固定した後、梯子状の枠体４を建築躯体１に固定する。次に、図２に示すように、略漏斗形状をした養生カバー５を給水配管３の各給水口３ｂに取り付ける。養生カバー５の底部５ａが給水口３ｂ外周の鍔部３ｃに当接するまで差し込まれたら、固定ナット（図示せず）にて固定する。
【００１７】
次に、図３に示すように、略円筒状のねじ部６ａとその端部外周に形成された鍔部６ｂとを有する取付金具６を、そのネジ部６ａを介して給水配管３の給水口３ｂに螺着して固定した後、養生カバー５を目安にしてタイル壁面７に壁面開口部８を形成し、タイル壁面７から２ｍｍ以内の位置で養生カバー５の周縁をカットする。また、必要に応じて、養生カバー５と壁面開口部８との隙間にシリコンシール材を充填する。
【００１８】
次に、図４に示すように、給水配管３の給水口３ｂに固定された取付金具６に差込み可能な突起部９ａを中心に有する円形の位置決め治具９が複数のねじ１０で予め固定された略ドーナツ形状のベース部材１１を、取付金具６が露出した状態でタイル壁面７に形成された壁面開口部８に対し、突起部９ａが取付金具６に差込まれるように押し当て、ベース部材１１に形成されたベース部材固定用穴１１ａを利用してタイル壁面７にベース固定用穴の位置をマーク付けする。そして、タイル壁面７にマーク付けされたベース固定用穴の位置に下穴１２を形成する。なお、ベース部材位置決め治具９は、その中心がベース部材１１の中心と同軸心上で一致した状態で予めベース部材１１に固定されている。
【００１９】
次に、図４，図５に示すように、下穴１２の位置とベース部材固定用穴１１ａの位置とを合わせ、位置決め治具９がねじ固定されたベース部材１１をタイル壁面７に当接させ、ベース部材固定用穴１１ａから下穴１２にねじ２３を螺着して固定する。この後、ねじ１０を緩め、ベース部材１１から位置決め治具９を取り外す。そして、図６に示すように、タイル壁面７に臨むベース部材１１に化粧パネル１３を装着した後、ベース部材１１に予め開設された穴１１ｂにねじ１５を螺着させることにより、化粧パネル１３をベース部材１１に固定する。なお、この化粧パネル１３に形成された開口部１３ｂの中心とベース部材１１の中心とが同軸心上で一致した状態で固定されるように、ベース部材１１に予め穴１１ｂが開設されている。
【００２０】
化粧パネル１３が固定されたら、図７に示すように、ケース１６にボール継手ユニット１７を嵌め込む。このとき、ケース１６に開設された４つの長孔１６ａの位置と、ボール継手ユニット１７に開設された４つの孔１７ａの位置とが合うように注意しながら、ボール継手ユニット１７のフランジ１７ｂをケース１６の凹状底部１６ｂに嵌め込む。そして、ボール継手ユニット１７の４つの孔１７ａとケース１６の４つの長孔１６ａと取付金具６に開設された４つの孔６ｃとを合わせ、４つの孔１７ａへねじ１８をそれぞれ差し込んで締め付ければ、ボール継手ユニット１７が取付金具６に固定される。このとき、ケース１６外周のフランジ部１６ｃが化粧パネル１３のフランジ部１３ａに当接した状態にする必要がある。
【００２１】
次に、図８，図９に示すように、４本のねじ２０を用いて散水板ユニット１９をボール継手ユニット１７に固定した後、散水板ユニット１９の表面を覆うように散水板カバー２１を装着し、散水板カバー２１の周縁から散水板ユニット１９に複数のねじ２２を螺着すれば、散水板カバー２１が散水板ユニット１９に固定される。これにより、図１０に示すような状態となり、埋込式シャワー２５が完成する。
【００２２】
前述したように、本実施形態の埋込式シャワーの取付方法においては、位置決め治具９を使用することにより、散水板ユニット１９とベース部材１１のベース部材開口部１１ｄ（図４参照）及び化粧パネル１３に形成された開口部１３ｂ（図１０参照）を同軸心上に配置することができるので、施工時に構成部材を容易にかつ正確な位置に取り付けることができる。従って、散水板ユニット１９が化粧パネル１３と干渉することなく機能し、かつ施工時の微妙な調整が難しい散水板ユニット１９と化粧パネル１３との隙間２４（図１０参照）が全周に渡って均一となるように仕上げることができる。
【００２３】
次に、図１１に基づいて、本発明のその他の実施形態について説明する。その他の実施形態である埋込式シャワーの取付方法の施工手順を示す一部切欠斜視図である。なお、図１１において図１〜図１０中の符号と同じ符号を付している部分は前述した埋込式シャワー２５の構成部分と同じ構造、機能を有する部分であり、説明を省略する。
【００２４】
本実施形態においては、図１１に示すように、給水配管３に固定される取付金具６に差込み可能な差込み部３６ａを中心部に有する浸水防止用のケース３６を、ベース部材開口部１１ｄの中心の位置に差込み部３６ａが位置するような状態でベース部材１１にねじ２６を用いて固定する工程と、取付金具６が露出した状態でタイル壁面７に形成された壁面開口部８に対し、ケース３６がねじ固定されたベース部材１１を、差込み部３６ａが取付金具６に差込まれるように押し当て、ベース部材１１に形成されたベース部材固定用穴１１ａを利用してタイル壁面７にベース固定用穴の位置をマーク付けする工程と、タイル壁面７にマーク付けされたベース固定用穴の位置に下穴１２を形成する工程と、下穴１２とベース部材固定用穴１１ａとを合わせて、ケース３６がねじ固定されたベース部材１１をタイル壁面７にねじ２３で固定する工程と、を備えている。その他の工程は、図１〜図１０を用いて説明した埋込式シャワーの取付方法と同じである。
【００２５】
このような構成とすれば、治具機能を兼用するケース３６がねじ固定されたベース部材１１を使用することにより、位置決め治具無しで、散水板ユニット（図示せず）とベース部材１１のベース部材開口部１１ｄ及び化粧パネル（図示せず）に形成された開口部を同軸心上に配置することができるので、施工時に構成部材を容易にかつ正確な位置に取り付けることができる。従って、散水板が化粧パネルと干渉することなく機能することができ、かつ施工時における微妙な調整が難しい散水板と化粧パネルとの隙間が全周に渡って均一となるように仕上げることができる。
【産業上の利用可能性】
【００２６】
本発明の埋込式シャワーの取付方法は、浴室やシャワー室に取り付けられる埋込式シャワーの施工技術として広く利用することができる。
【符号の説明】
【００２７】
１  建築躯体
２  配管固定部材
３  給水配管
３ａ  入水口
３ｂ  給水口
３ｃ  鍔部
４  枠体
５  養生カバー
６  取付金具
６ａ  ねじ部
６ｂ  鍔部
６ｃ，１７ａ  孔
７  タイル壁面
８  壁面開口部
９  位置決め治具
９ａ  突起部
１０，１８，２０，２２，２３  ねじ
１１  ベース部材
１１ａ  ベース部材固定用穴
１１ｄ  ベース部材開口部
１２  下穴
１３  化粧パネル
１３ａ，１７ｂ  フランジ部
１３ｂ  開口部
１６，３６  ケース
１６ａ  長孔
１６ｂ  凹状底部
１７  ボール継手ユニット
１９  散水板ユニット
２１  散水板カバー
２４  隙間
２５  埋込式シャワー
３６ａ  差込み部
【図１】
2010178924.tif 000003
【図２】
2010178924.tif 000004
【図３】
2010178924.tif 000005
【図４】
2010178924.tif 000006
【図５】
2010178924.tif 000007
【図６】
2010178924.tif 000008
【図７】
2010178924.tif 000009
【図８】
2010178924.tif 000010
【図９】
2010178924.tif 000011
【図１０】
2010178924.tif 000012
【図１１】
2010178924.tif 000013